(57)【要約】【課題】本発明は、金属体の内部に設置されるデータキャリアで、その通信感度を更に向上出来るデータキャリアの設置構造を提供することを可能にすることを目的としている。【解決手段】全体が棒状に形成されたデータキャリア本体１と、その軸方向に延長されたシート状磁性体５によりデータキャリア１９が構成され、金属製ビール樽１０の把持部１４に設けられた設置空間１８にデータキャリア１９を挿入する開口部２０と、磁束漏洩路となるスリット１６が把持部１４に設けられ、設置空間１８に挿入されたデータキャリア１９の軸方向をスリット１６の長手方向に平行に配置したことを特徴とする。【選択図】      図１
2004217221.tif 000002
【特許請求の範囲】
【請求項１】
金属体の内部におけるデータキャリアの設置構造において、
全体が棒状に形成されたデータキャリア本体と該データキャリア本体からその軸方向に延長する高比透磁率で可撓性を有するシート状磁性体によりデータキャリアが構成され、
前記金属体の内部に前記データキャリアの設置空間が設けられると共に、その設置空間に前記データキャリアを挿入する開口部及び前記金属体と外部との間に磁束漏洩路を形成するスリットが前記金属体に設けられ、前記設置空間に挿入されたデータキャリアの軸方向は前記スリットの長手方向に平行になっていることを特徴とするデータキャリアの設置構造。
【請求項２】
前記データキャリアと、前記設置空間との間隙に充填材が充填されていることを特徴とする請求項１に記載のデータキャリアの設置構造。
【請求項３】
前記金属体は細長い管状体からなり、該管状体の中空部の一部が前記設置空間とされ、その設置空間に前記データキャリアを挿入する開口部が前記管状体の周壁に設けられると共に、前記磁束漏洩路を形成するスリットが前記管状体の周壁の長手方向に沿って設けられることを特徴とする請求項１または請求項２に記載のデータキャリアの設置構造。
【請求項４】
前記管状体が金属容器に設けられた環状の縁部であることを特徴とする請求項３に記載のデータキャリアの設置構造。
【請求項５】
前記金属容器がビール樽であり、前記環状の縁部が該ビール樽の上部に設けられた環状の把持部であることを特徴とする請求項４に記載のデータキャリアの設置構造。
【請求項６】
前記設置空間は前記金属体に切削加工して設けたものであることを特徴とする請求項１または請求項２に記載のデータキャリアの設置構造。
【発明の詳細な説明】
【０００１】
【発明の属する技術分野】
本発明は、金属体の内部におけるデータキャリアの設置構造に関するものである。
【０００２】
【従来の技術】
従来から、物品の生産管理、流通管理または在庫管理等において、その物品の仕様、定格、補修履歴等を電子的に書き込みまたは読み出しを行うために、ＲＦＩＤタグ（Ｒａｄｉｏ  ｆｒｅｑｕｅｎｃｙ  Ｉｄｅｎｔｉｆｉｃａｔｉｏｎ  ＴＡＧ）等のデータキャリアが物品に設置若しくは装着される。
【０００３】
図４は全体が棒状に形成されたデータキャリア本体１である。データキャリア本体１はコア３に銅線を巻き付けて細長いシリンダ状に形成したアンテナコイル２と、そのアンテナコイル２の両端に接続されたＩＣ回路４を有して非導電性材料であるガラス容器６や樹脂等の密封容器を用いて全体が細長い棒状に一体成形されている。この形状のものはその寸法を極めて小さく出来るので、狭い空間にも十分に設置することが出来る。
【０００４】
尚、データキャリア本体としては全体が円盤状に形成されたものもある。円盤状のデータキャリア本体は通信感度を比較的大きく出来るメリットがあるが、全体寸法は大きくなる。
【０００５】
図５はデータキャリア本体１のブロック図の１例である。ＩＣ回路４は図５に示すように送受信回路４ｃ、ＣＰＵ（中央演算装置）４ａ、書き込み可能な不揮発性記憶素子を有するメモリ４ｂ及び電力貯蔵用のコンデンサ４ｄを有している。
【０００６】
上記データキャリア本体１の送受信方法を図５により説明すると、先ず、リーダライタ装置７（図１（ａ）参照）が最初のステップでデータキャリア本体１の呼び出し及び電力送信用の電磁波を送信する。するとデータキャリア本体１はその電磁波をアンテナコイル２と送受信回路４ｃとの同調作用により受信し、その電力をコンデンサ４ｄに充電する。これによってデータキャリア本体１は作動状態になるので、次のステップでリーダライタ装置７からデータキャリア本体１に読み出し用の電磁波を送信する。
【０００７】
電磁波はデータキャリア本体１のアンテナコイル２から送受信回路４ｃを経てＣＰＵ４ａに入力され、ＣＰＵ４ａはそれに応じて必要な情報をメモリ４ｂから読み出し、その情報を送受信回路４ｃからアンテナコイル２を経て電磁波としてリーダライタ装置７に送信する。リーダライタ装置７からデータキャリア本体１のメモリ４ｂにデータを書き込む場合も上記方法に準じて実行される。尚、これ等一連のステップは略瞬時に行われる。
【０００８】
図４はアンテナコイル２と電磁波との関係を説明するものである。一般に電磁波は９０度の位相差をもって交流的に伝播する電界と磁界により表すことが出来、その磁界とアンテナコイル２とが鎖交することにより該アンテナコイル２に流れる電流（高周波電流）を利用して送受信が行われる。
【０００９】
例えば、アンテナコイル２から電磁波が送信される場合は、アンテナコイル２に流れる高周波電流により図４に示すような高周波の磁界成分Ｈがアンテナコイル２の中心を通るループ（磁束ループ）として分布し、この磁束領域にリーダライタ装置７のアンテナコイルを置くと、リーダライタ装置７はデータキャリア本体１からの情報を受信出来る。
【００１０】
同様にリーダライタ装置７から電磁波を送信する場合にも、データキャリア本体１のアンテナコイル２の周囲には図示のような磁界成分Ｈが分布し、それをアンテナコイル２が受信することになる。
【００１１】
物品の中には鉄、鋼、ステンレス、アルミニウム、銅等、導電性を有する金属体からなるものがある。このような金属体は電磁波通信に用いる電磁波により渦電流を発生し、それによって電磁波を減衰させる特性があるので、リーダライタ装置７等との通信感度が著しく低下して通信困難になる。
【００１２】
そこで従来から、データキャリア本体１を金属体の表面から浮かした状態で設置することが多い。しかし、そのようにすると金属体の表面に突出する部分が大きくなると共に、設置構造が複雑化してコスト的に不利になる。また狭隘（きょうあい）な部分への設置が困難になる。
【００１３】
また、そのように設置したデータキャリア本体１の表面を別の金属体で覆って保護する場合にも、その金属体が電磁波を遮蔽するので、通常、データキャリア本体１の表面側はプラスチック材等の非金属材料若しくは非導電材料で保護している。しかし、プラスチック材等の保護体は金属体よりも機械的強度が低いため、要求される保護機能を十分に満たせない場合がある。
【００１４】
そこで、本出願人は金属体にデータキャリア本体１を設置する際のこれらの問題を解決する新しいデータキャリアの設置構造を提案している（例えば、特許文献１参照。）。この特許文献１で提案したデータキャリア本体１の設置構造では、例えば金属体に設置溝部を形成し、その設置溝部にデータキャリア本体１を配置した後、設置溝部を表面側から金属製の保護体で覆っている。
【００１５】
そして、設置溝部の周縁部と保護体の周縁部との間に微小な間隙からなる磁束漏洩路を形成し、その磁束漏洩路を通る漏洩磁束を利用してデータキャリア本体１と保護体外部との電磁波による高感度の通信を行うようになっている。
【００１６】
但し、特許文献１の方法は僅かな漏洩磁束を利用して外部との通信を行うので、比較的通信感度の高いリーダライタ装置７を用いる必要がある。特に図４のような全体が棒状に形成された極めて小型のデータキャリア本体１の場合には、より高い通信感度を持ったリーダライタ装置７が使用される。
【００１７】
一方、このような全体が棒状に形成された極めて小型のデータキャリア本体１の通信感度を向上させる技術として、本出願人は更に別のデータキャリアを提案している（例えば、特許文献２参照。）。この特許文献２の技術は、全体が棒状に形成されたデータキャリア本体１の一方の端部からアモルファスシート等の高比透磁率を有するシート状磁性体を軸方向に延長してデータキャリアを構成したものである。このようにすると通信指向性を高め、結果として高い通信感度を得ることが可能になる。
【００１８】
上記特許文献１、２に記載されたデータキャリアを金属体に設置することにより、金属体で覆われた設置溝部と外部との間で実用的な通信感度で通信を行うことが可能になった。
【００１９】
【特許文献１】
特開２００２−１５７５６５号公報
【特許文献２】
特開２００２−２０８８１４号公報
【００２０】
【発明が解決しようとする課題】
しかしながら、前述の従来例であっても、対象とする金属体によっては、より高い通信感度が要求される場合もあり、前記特許文献１、２のデータキャリアではその要求に応じられないことがある。
【００２１】
本発明は前記課題を解決するものであり、その目的とするところは、金属体の内部に設置されるデータキャリアで、その通信感度を更に向上出来るデータキャリアの設置構造を提供せんとするものである。
【００２２】
【課題を解決するための手段】
前記目的を達成するための本発明に係るデータキャリアの設置構造は、金属体の内部におけるデータキャリアの設置構造において、全体が棒状に形成されたデータキャリア本体と該データキャリア本体からその軸方向に延長する高比透磁率で可撓性を有するシート状磁性体によりデータキャリアが構成され、前記金属体の内部に前記データキャリアの設置空間が設けられると共に、その設置空間に前記データキャリアを挿入する開口部及び前記金属体と外部との間に磁束漏洩路を形成するスリットが前記金属体に設けられ、前記設置空間に挿入されたデータキャリアの軸方向は前記スリットの長手方向に平行になっていることを特徴とする。
【００２３】
このデータキャリア本体は、例えば、図４に示すように構成され、外径直径２ｍｍ、長さ１２ｍｍ程度の極めて小さい寸法のものが市販されており、シート状磁性体を通信感度に応じて幅２ｍｍ〜３ｍｍ程度、長さ１０ｍｍ〜５０ｍｍ程度に設定してスリットからなる磁束漏洩路を介して外部との間で実用的な通信感度で通信を行うことが出来る。
【００２４】
上記データキャリアの設置構造において、設置対象である金属体の内部にはデータキャリア構造体の設置空間が設けられる。設置空間は上記データキャリアが設置出来る内容積があれば良いので、その寸法は小さいもので良い。
【００２５】
上記設置空間にデータキャリアを挿入する開口部および金属体外部との間に磁束漏洩路を形成する微小幅のスリットが金属体に設けられる。そして開口部の開口面積は、シート状磁性体が可撓性を有しているので、硬質なデータキャリア本体が通過出来る程度の大きさで良い。
【００２６】
開口部から設置空間に挿入したデータキャリアは、その軸方向がスリットの長手方向に平行に設置される。データキャリアと外部のリーダライタ装置７との通信はスリットからなる磁気漏洩路を通る漏洩磁束によって行われるが、上記のようにデータキャリアの軸方向がスリットの長手方向に平行になっているため、シート状磁性体のアンテナ効果による磁束の送受信がスリットの長手方向に沿って発揮出来るので、その通信感度が極めて高くなる。
【００２７】
金属体に軽微な開口部を加工するだけで、データキャリアの破損の危険がない剛性のある金属体の設置空間に大きな通信距離で通信を可能とするシート状磁性体からなる大きなアンテナをもつデータキャリアを設置出来る。
【００２８】
即ち、従来では、大きな通信距離を得るために大きなアンテナが必要になり、これに応じてデータキャリアが大型化し、その大きなデータキャリアを設置するために金属体に大きな穴加工をする必要があったが、上記構成により、大きな通信距離を得るために小さく細い全体が棒状のデータキャリア本体の軸方向に延長して高比透磁率で可撓性を有するシート状磁性体を設けて大きなアンテナを構成することが出来、金属体に小さな穴加工をするだけで良いので金属体自体の強度を維持すると共にデータキャリアの保護を確保することが出来る。
【００２９】
また、前記データキャリアと、前記設置空間との間隙に充填材を充填することにより、データキャリアを設置空間に所定の姿勢を維持した状態で安定に設置出来る。
【００３０】
【発明の実施の形態】
図により本発明に係るデータキャリアの設置構造の一例として、ビール樽の上部に設けられた環状の把持部にデータキャリアを設置する構造の一実施形態を具体的に説明する。図１（ａ）は本発明に係るデータキャリアの設置構造の一例を示す斜視説明図、図１（ｂ）は図１（ａ）のＡ−Ａ拡大断面図である。
【００３１】
また、図２（ａ），（ｂ）は図１に示す管状体の設置空間にデータキャリアを設置した様子を示す部分拡大横断面図及び縦断面図、図３（ａ）はデータキャリア本体の一方の端部における下面からシート状磁性体を軸方向に延長した一例を示す断面図、図３（ｂ）はデータキャリア本体の一方の端部における下面から第１のシート状磁性体を軸方向に延長すると共に、該データキャリア本体の他方の端部における上面から第２のシート状磁性体を軸方向に延長した一例を示す断面図である。
【００３２】
本実施形態では、データキャリア１９の設置対象である金属体は、金属容器に設けられた細長い管状体である環状の縁部であって、例えば、図１に示すような金属製ビール樽１０の上部に設けた環状の把持部１４によって構成されている。以下、金属製ビール樽１０を例にして本発明に係るデータキャリアの設置構造について説明する。
【００３３】
図１において、金属製ビール樽１０は一般的にはステンレス製が多く、ビールを収容する容器本体１１の上部にビールを供給するための連結口１２が設けられ、この連結口１２に図示しない開閉コック付きのホースが接続される。
【００３４】
容器本体１１の周囲に溶接等により周壁１３が接合され、その周壁１３の上部は図１（ｂ）及び図２（ｂ）に示すように内側に湾曲して折り曲げられて断面が略円形の管状体を形成し、その管状体は金属製ビール樽１０を把持して運搬等を行うための環状の把持部１４を構成する。
【００３５】
そして、周壁１３とその折り曲げ先端部分との間に微小な幅、例えば、通常数ｍｍ程度以下の幅のスリット１６が管状体からなる把持部１４の全周で、該把持部１４の周壁１３の長手方向に沿って形成され、このスリット１６が金属体となる環状の把持部１４と外部との間に形成された磁束漏洩路を構成する。尚、磁束の漏洩はスリット１６の幅に比例して大きくなるので、所望によりその幅寸法をデータキャリア１９が容易に取り外せない数ｍｍ程度以下の範囲で適宜変更することも出来る。
【００３６】
管状体からなる把持部１４の中空部の一部は、データキャリア１９を設置するための設置空間１８とされ、そこにデータキャリア１９が配置される。通常、金属製ビール樽１０は大量生産されるので、生産工程でその管状体からなる把持部１４の設置空間１８に予めデータキャリア１９を設置しておくことは困難である。また既存の金属製ビール樽１０にはデータキャリア１９を後から設置しなければならない。
【００３７】
そこで、本実施形態では管状体からなる把持部１４の一部にデータキャリア１９を挿入するための開口部２０（例えば、直径５ｍｍ程度の貫通孔）を設け、その開口部２０を通して、高比透磁率で可撓性を有するシート状磁性体５による大きな可撓性アンテナを有するデータキャリア１９を管状体からなる把持部１４の設置空間１８に挿入するようにしている。
【００３８】
そして、図１に示すようなリーダライタ装置７等をデータキャリア１９が設置された金属製ビール樽１０の上方または外周側から近づけることにより、非接触で電磁波通信を行うことが出来る。尚、電磁波通信は磁束漏洩路を構成するスリット１６を通る漏洩磁束を利用して行われる。
【００３９】
図２に示すように、データキャリア１９を金属体である把持部１４内部の設置空間１８に設置するには、先ず開口部２０から専用の充填ガン等で設置空間１８の一部に充填剤１５を充填し、次にデータキャリア１９をピンセット等により把持して開口部２０から縦方向に設置空間１８に挿入する。
【００４０】
この時、シート状磁性体５は可撓性があるので、開口部２０が小さくてもシート状磁性体５は設置空間１８に沿って挿入され、データキャリア１９全体の挿入が可能となる。データキャリア１９の全体が棒状に形成されたデータキャリア本体１は開口部２０の真下付近における充填剤１５上に配置する。
【００４１】
その際、データキャリア１９の軸方向を管状体からなる把持部１４の周方向に平行で且つ、スリット１６の長手方向に平行に配置する。次に開口部２０から充填剤１５を該開口部２０の位置まで補充し、データキャリア１９の周囲を完全に充填剤１５で覆う。
【００４２】
充填剤１５の粘度は管状体からなる把持部１４の周方向にあまり拡散しないで、データキャリア１９の周囲に滞留する程度のものを選択する。充填剤１５は充填状態である程度の弾性を有するものが好ましい。弾性を有することにより管状体からなる把持部１４が外部から衝撃を受けて多少変形した場合にも、その変形によるデータキャリア１９の損傷を防止出来ると共に、データキャリア１９を周囲からの振動や衝撃に左右されずに安定して設置空間に固定出来る。このような弾性を有する充填剤１５としては、例えば、シリコン系やウレタン系のシーリング剤や接着剤を挙げることが出来る。
【００４３】
尚、充填剤１５を充填しない場合は、データキャリア１９の表面の少なくとも一部に接着剤を塗布した状態で開口部２０から設置空間１８内に挿入し、データキャリア１９を設置空間１８の内壁面に所定の姿勢で接するように配置する。そしてデータキャリア１９は接着剤の硬化後に安定して設置空間の所定位置に設置（固定）される。
【００４４】
データキャリア１９は全体が棒状に形成されたデータキャリア本体１と、該データキャリア本体１の端部からその軸方向に延長したアモルファスシート等の高比透磁率で可撓性を有するシート状磁性体５と、それらが分離しないように保護する可撓性の保護体８を備えている。
【００４５】
図３（ａ）はデータキャリア本体１の一方の端部における下面（或いは上面でも良い）からシート状磁性体５を軸方向に延長した例を示す断面図であり、図３（ｂ）はデータキャリア本体１の一方の端部における下面から第１のシート状磁性体５ａを該データキャリア本体１の軸方向に延長すると共に、該データキャリア本体１の他方の端部における上面からも同様な第２のシート状磁性体５ｂを該データキャリア本体１の軸方向に延長した一例を示す断面図である。
【００４６】
尚、他の構成例として、第１、第２のシート状磁性体５ａ，５ｂをデータキャリア本体１の上面或いは下面の片側或いは両側で両端部から該データキャリア本体１の軸方向に延長することでも良い。
【００４７】
ここで、保護体８は弾性を有するチューブで、例えば、加熱により収縮するプラスチック製の収縮チューブを使用することが出来る。これらのシート状磁性体５，５ａ，５ｂはデータキャリア本体１の延長アンテナの作用を発揮する。
【００４８】
そして、データキャリア１９を設置空間１８に設置した状態では、そのシート状磁性体５，５ａ，５ｂの軸方向（長さ方向）に平行にスリット１６が設けられているので、シート状磁性体５，５ａ，５ｂによる延長アンテナ効果は周囲の金属体によって妨げられることなく発揮出来る。
【００４９】
シート状磁性体５，５ａ，５ｂの長さが長いほど通信感度を上げることが出来るので、所望の通信感度に応じてシート状磁性体５，５ａ，５ｂの長さを設定すれば良い。しかし、通常、シート状磁性体５，５ａ，５ｂの長さはデータキャリア本体１の全長の２倍〜５倍程度とすることが実用的である。また、その幅はデータキャリア本体１の外径と同じ程度にする。本実施形態のシート状磁性体５，５ａ，５ｂは１０μｍ〜５０μｍ程度の厚さを有して方形に切断加工して形成されたものを採用した。
【００５０】
図４に示すようなシリンダ状のアンテナコイル２では、コア３の先端部付近に磁束発生部位が存在し、磁束は、その磁束発生部位から軸方向に出て反対側の先端部に向かうループを形成する。
【００５１】
そこで、シリンダ状のアンテナコイル２における軸方向外側の指向性を高めたい時には、図３（ａ）に示すように、その磁束発生部位から軸方向外側にシート状磁性体５を延長する。すると、磁束発生部位からの磁束のかなりの部分が高透磁率のシート状磁性体５により軸方向外側に導かれ、結果として、その軸方向における通信可能な磁束領域が拡大される。
【００５２】
尚、この場合、延長した軸方向を中心として三次元的に通信可能な磁束領域が拡大する。また、このように構成すると、磁束のループが大きくなるので、結果として反対側の先端部から軸方向外側における通信可能な磁束領域も略同じ大きさで拡大される現象が起こる。
【００５３】
図３（ａ）に示すように、シリンダ状アンテナコイル２の片側のみに配置するシート状磁性体５は、磁束発生部位（コア３の端部周辺）から軸方向外側に延長することが好ましく、同時に軸方向内側に延長する場合は比較的短い距離に留めるべきである。
【００５４】
一方、図３（ｂ）に示す第１のシート状磁性体５ａはアンテナコイル２の下面に沿って、左側の磁束発生部位（コア３の左端部周辺）から左方向外側まで延長されており、第２のシート状磁性体５ｂはアンテナコイル２の上面に沿って、右側の磁束発生部位（コア３の右端部周辺）から右方向外側まで延長されている。
【００５５】
そして、磁束の少なくとも一部は、この場合には空中よりも著しく磁気抵抗の少ない第１のシート状磁性体５ａと第２のシート状磁性体５ｂをそれぞれ通り、アンテナコイル２を介する磁束路（磁束ループ）を形成する。磁束路はアンテナコイル２の軸方向に平行な方向に拡大されるので、該方向の通信距離が延長し且つその方向への通信指向性が高くなる。
【００５６】
データキャリア１９の通信感度は磁束路の磁束密度に比例し、その磁束密度はシート状磁性体５，５ａ，５ｂの比透磁率に比例する。
【００５７】
本発明では、高透磁率のシート状磁性体５，５ａ，５ｂを使用する。ここで、高透磁率とは、鉄や一般の磁気コアより高い透磁率を有する場合を指し、例えば、一般の磁気コアの透磁率は、フェライトの場合で比透磁率が数百であるが、本発明に使用する磁性体は比透磁率が１万以上の高い透磁率を有するものを使用する。尚、比透磁率は磁性体の透磁率と真空の透磁率との比である。
【００５８】
このような高透磁率磁性体として、シート状に形成したアモルファス磁性体を使用することが好ましい。一般にアモルファス磁性体の比透磁率は数万から数百万の範囲にあり、極めて比透磁率が高い。例えば米国のアライドケミカル社から市販されているＦｅ―Ｎｉ―Ｍｏ―Ｂ−Ｓ系で比透磁率が８０万のシート状アモルファス磁性体があり、更に、類似組成でより高比透磁率のシート状アモルファス磁性体が日立金属（株）から市販されており、いずれも本発明に使用出来る。
【００５９】
アモルファス磁性体の単位重量当たりの価格は現状では非常に高い。従って、アモルファス磁性体をシート状とすることで、少ない材料でも通信距離の拡大効果が高く、コスト的にも極めて有利である。
【００６０】
また、アモルファス磁性体等のシート状磁性体５，５ａ，５ｂは、例えば１０μｍ〜５０μｍ程度の厚さとすることにより、可撓性と実用上の強度の両者を満たすシートに形成出来る。また、シート状であるため重量増加が極めて少なく、軽量化を図ることが出来、好ましい。
【００６１】
アモルファス磁性体シートは、アモルファス合金をシート状に形成したものであり、この非晶質合金は一般に超急冷法により靱性のある箔体に形成される。
【００６２】
アモルファス磁性体シートの特徴としては透磁率が高い、保磁力が小さい、鉄損が小さく、ヒステリシス損失、渦電流損失が少ない、磁歪を広い範囲で制御出来る、電気抵抗率が高く温度変化が小さい、熱膨張係数や剛性率の温度係数が小さいこと等がある。
【００６３】
また、このアモルファス合金はフレーク状に形成することが出来る。このフレーク状に形成されたアモルファス合金は、例えば、株式会社リケン製のアモリシックシート（商品名）のようにシート状に形成される。
【００６４】
即ち、このアモリシックシートは高透磁率コバルトアモルファス合金の笹の葉状フレークを絶縁フィルムに均一に分散し、サンドイッチ状に固定したシートである。また、フレーク状のアモルファス磁性体を散布した状態で、これをシート状に成形することにより構成した磁性保護シートを使用することでも良い。
【００６５】
本発明に係るデータキャリアの設置構造は、把持部１４を有する金属製ビール樽１０以外に、例えば高圧ガスを充填するボンベのような金属容器にも適用出来る。その場合、管状体を形成する縁部を有する場合は前述と同様の方法でデータキャリア１９を設置することが出来る。
【００６６】
また本発明は、一般構造物における金属製の把持部（若しくは取手）にも適用出来る。これら把持部は環状になっている場合が多いが、環状には円環以外に角型も含まれる。
【００６７】
更に、データキャリア１９を設置する部分が管状体でなく、ブロック状である場合には、金属体となるそのブロック部分に設置空間となる孔（例えば、断面円形孔）を切削加工等により設け、その設置空間の入口部分を開口部として、その開口部と直交するブロック壁と設置空間とを連通するように磁束漏洩路を形成するためのスリットを設けることが出来る。
【００６８】
【発明の効果】
本発明は、上述の如き構成と作用とを有するので、金属体の内部に設置されるデータキャリアで、その通信感度を更に向上出来るデータキャリアの設置構造を提供することが出来る。
【００６９】
即ち、設置対象である金属体の内部にデータキャリア構造体の設置空間が設けられ、その設置空間にデータキャリアを挿入する開口部および金属体外部との間に磁束漏洩路を形成する微小幅のスリットが金属体に設けられる。
【００７０】
開口部から設置空間に挿入したデータキャリアは、その軸方向がスリットの長手方向に平行に設置され、データキャリアと外部のリーダライタ装置７との通信はスリットからなる磁気漏洩路を通る漏洩磁束によって行われる。データキャリアの軸方向がスリットの長手方向に平行になっているため、シート状磁性体のアンテナ効果による磁束の送受信がスリットの長手方向に沿って発揮出来るので、その通信感度が極めて高くなる。
【００７１】
金属体に軽微な開口部を加工するだけで、データキャリアの破損の危険がない剛性のある金属体の設置空間に大きな通信距離で通信を可能とするシート状磁性体からなる大きなアンテナをもつデータキャリアを設置出来る。
【００７２】
従来では、大きな通信距離を得るために大きなアンテナが必要になり、これに応じてデータキャリアが大型化し、その大きなデータキャリアを設置するために金属体に大きな穴加工をする必要があったが、上記構成により、大きな通信距離を得るために小さく細い全体が棒状のデータキャリア本体の軸方向に延長して高比透磁率で可撓性を有するシート状磁性体を設けて大きなアンテナを構成することが出来、金属体に小さな穴加工をするだけで良いので金属体自体の強度を維持すると共にデータキャリアの保護を確保することが出来る。
【００７３】
また、データキャリアと、設置空間との間隙に充填材を充填することにより、データキャリアを設置空間に所定の姿勢を維持した状態で安定に設置出来る。
【図面の簡単な説明】
【図１】（ａ）は本発明に係るデータキャリアの設置構造の一例を示す斜視説明図、（ｂ）は図１（ａ）のＡ−Ａ拡大断面図である。
【図２】（ａ），（ｂ）は図１に示す管状体の設置空間にデータキャリアを設置した様子を示す部分拡大横断面図及び縦断面図である。
【図３】（ａ）はデータキャリア本体の一方の端部における下面からシート状磁性体を軸方向に延長した一例を示す断面図、（ｂ）はデータキャリア本体の一方の端部における下面から第１のシート状磁性体を軸方向に延長すると共に、該データキャリア本体の他方の端部における上面から第２のシート状磁性体を軸方向に延長した一例を示す断面図である。
【図４】全体が棒状に形成されたデータキャリア本体の構成を示す図である。
【図５】データキャリア本体の制御系のブロック図である。
【符号の説明】
１…データキャリア本体
２…アンテナコイル
３…コア
４…ＩＣ回路
４ａ…ＣＰＵ
４ｂ…メモリ
４ｃ…送受信回路
４ｄ…コンデンサ
５，５ａ，５ｂ…シート状磁性体
６…ガラス容器
７…リーダライタ装置
８…保護体
１０…金属製ビール樽
１１…容器本体
１２…連結口
１３…周壁
１４…把持部
１５…充填剤
１６…スリット
１８…設置空間
１９…データキャリア
２０…開口部
【図１】
2004217221.tif 000003
【図２】
2004217221.tif 000004
【図３】
2004217221.tif 000005
【図４】
2004217221.tif 000006
【図５】
2004217221.tif 000007